(57)【要約】【課題】一例として、基板の部品との接合領域の応力が増大するのが抑制されやすいテレビジョン受像機、電子機器、および基板アセンブリを得る。【解決手段】実施形態にかかるテレビジョン受像機は、筐体と、表示装置と、基板と、部品と、を備えた。表示装置は、筐体に設けられた。基板は、筐体内に収容され、基板には、第一の開口部が設けられた。部品は、基板の面に表面実装され、基板の厚さ方向からの視線で四角形状の外観を呈する。基板の、当該基板の厚さ方向からの視線で部品の角部を挟む二辺の延長線間に挟まれるとともに角部の部品とは反対側の第一の領域内で、基板の厚さ方向からの視線で部品の角部と第一の開口部の中心とを結ぶ直線と重なる位置に、第二の開口部が設けられた。【選択図】図４
2014086920.tif 000002
【特許請求の範囲】
【請求項１】
筐体と、
前記筐体に設けられた表示装置と、
前記筐体内に収容され、第一の開口部が設けられた基板と、
前記基板の面に表面実装され、前記基板の厚さ方向からの視線で四角形状の外観を呈する部品と、
を備え、
前記基板の、当該基板の厚さ方向からの視線で前記部品の角部を挟む二辺の延長線間に挟まれるとともに前記角部の前記部品とは反対側の第一の領域内で、前記基板の厚さ方向からの視線で前記部品の角部と前記第一の開口部の中心とを結ぶ直線と重なる位置に、第二の開口部が設けられた、テレビジョン受像機。
【請求項２】
前記第二の開口部の少なくとも一部は、前記基板の厚さ方向からの視線で、前記部品の角部と前記第一の開口部の中心とを二つの角とし、前記部品の前記角部を挟む二辺の延長線を二辺とする長方形状の第二の領域内に位置された、請求項１に記載のテレビジョン受像機。
【請求項３】
前記第二の開口部は、前記基板の厚さ方向からの視線で、前記部品の角部よりも前記第一の開口部の近くに位置された、請求項２に記載のテレビジョン受像機。
【請求項４】
前記第二の領域内に前記第二の開口部とは異なる第三の開口部が設けられた、請求項２または３に記載のテレビジョン受像機。
【請求項５】
前記第二の開口部は、前記基板の端部に設けられた切欠である、請求項１〜４のうちいずれか一つに記載のテレビジョン受像機。
【請求項６】
前記第二の開口部は、前記基板の長手方向に沿った端部に設けられた、請求項５に記載のテレビジョン受像機。
【請求項７】
前記第二の開口部は、前記基板に設けられた貫通孔である、請求項１〜５のうちいずれか一つに記載のテレビジョン受像機。
【請求項８】
筐体と、
前記筐体内に収容され、第一の開口部が設けられた基板と、
前記基板の面に表面実装され、前記基板の厚さ方向からの視線で四角形状の外観を呈する部品と、
を備え、
前記基板の、当該基板の厚さ方向からの視線で前記部品の角部を挟む二辺の延長線間に挟まれるとともに前記角部の前記部品とは反対側の第一の領域内で、前記基板の厚さ方向からの視線で前記部品の角部と前記第一の開口部の中心とを結ぶ直線と重なる位置に、第二の開口部が設けられた、電子機器。
【請求項９】
第一の開口部が設けられた基板と、
前記基板の面に表面実装され、前記基板の厚さ方向からの視線で四角形状の外観を呈する部品と、
を備え、
前記基板の、当該基板の厚さ方向からの視線で前記部品の角部を挟む二辺の延長線間に挟まれるとともに前記角部の前記部品とは反対側の第一の領域内で、前記基板の厚さ方向からの視線で前記部品の角部と前記第一の開口部の中心とを結ぶ直線と重なる位置に、第二の開口部が設けられた、基板アセンブリ。
【発明の詳細な説明】
【技術分野】
【０００１】
本発明の実施形態は、テレビジョン受像機、電子機器、および基板アセンブリに関する。
【背景技術】
【０００２】
従来、筐体内に収容された基板にスリットが設けられた電子機器が知られている。
【先行技術文献】
【特許文献】
【０００３】
【特許文献１】実開平５−４１１６９号公報
【発明の概要】
【発明が解決しようとする課題】
【０００４】
この種の電子機器では、スリットが設けられた位置や大きさ等によっては、例えば、基板に外力が作用した場合に、当該基板の部品との接合領域の応力が増大してしまう等の不都合が生じる場合があった。
【０００５】
そこで、本発明の実施形態は、一例として、基板の部品との接合領域の応力が増大するのが抑制されやすいテレビジョン受像機、電子機器、および基板アセンブリを得ることを目的の一つとする。
【課題を解決するための手段】
【０００６】
本発明の実施形態にかかるテレビジョン受像機は、筐体と、表示装置と、基板と、部品と、を備えた。表示装置は、筐体に設けられた。基板は、筐体内に収容され、基板には、第一の開口部が設けられた。部品は、基板の面に表面実装され、基板の厚さ方向からの視線で四角形状の外観を呈する。基板の、当該基板の厚さ方向からの視線で部品の角部を挟む二辺の延長線間に挟まれるとともに角部の部品とは反対側の第一の領域内で、基板の厚さ方向からの視線で部品の角部と第一の開口部の中心とを結ぶ直線と重なる位置に、第二の開口部が設けられた。
【図面の簡単な説明】
【０００７】
【図１】図１は、第１実施形態にかかるテレビジョン受像機の一例が示された正面図である。
【図２】図２は、第１実施形態にかかるテレビジョン受像機の一例が示された側面図である。
【図３】図３は、第１実施形態にかかるテレビジョン受像機の一例の筐体の内部に収容された基板アセンブリの一部が示された平面図（背面図）である。
【図４】図４は、第１実施形態にかかるテレビジョン受像機の一例の筐体の内部に収容された基板アセンブリの一部が示された平面図（背面図）であって、各部の位置関係の説明図である。
【図５】図５は、第２実施形態にかかる電子機器の一例が示された斜視図である。
【図６】図６は、第２実施形態にかかる電子機器の一例の筐体の内部に収容された基板アセンブリの概略構成が示された平面図である。
【図７】図７は、第２実施形態にかかる電子機器の一例の筐体の内部に収容された基板アセンブリの一部が示された平面図であって、各部の位置関係の説明図である。
【図８】図８は、第１変形例にかかる電子機器の一例の筐体の内部に収容された基板アセンブリの一部が示された平面図であって、各部の位置関係の説明図である。
【図９】図９は、第２変形例にかかる電子機器の一例の筐体の内部に収容された基板アセンブリの一部が示された平面図であって、各部の位置関係の説明図である。
【図１０】図１０は、第３変形例にかかる電子機器の一例の筐体の内部に収容された基板アセンブリの一部が示された平面図であって、各部の位置関係の説明図である。
【図１１】図１１は、第４変形例にかかる電子機器の一例の筐体の内部に収容された基板アセンブリの一部が示された平面図であって、各部の位置関係の説明図である。
【図１２】図１２は、第５変形例にかかる電子機器の一例の筐体の内部に収容された基板アセンブリの一部が示された平面図であって、各部の位置関係の説明図である。
【図１３】図１３は、第６変形例にかかる電子機器の一例の筐体の内部に収容された基板アセンブリの一部が示された平面図であって、各部の位置関係の説明図である。
【図１４】図１４は、第７変形例にかかる電子機器の一例の筐体の内部に収容された基板アセンブリの一部が示された平面図であって、各部の位置関係の説明図である。
【図１５】図１５は、第８変形例にかかる電子機器の一例の筐体の内部に収容された基板アセンブリの一部が示された平面図であって、各部の位置関係の説明図である。
【発明を実施するための形態】
【０００８】
以下の例示的な複数の実施形態や変形例には、同様の構成要素が含まれている。よって、以下では、同様の構成要素には共通の符号が付されるとともに、重複する説明が省略される。また、各実施形態や変形例に含まれる部分は、他の実施形態や変形例の対応する部分と置き換えて構成されうる。
【０００９】
また、以下の実施形態では、電子機器がテレビジョン受像機またはクラムシェル型（ノート型、折りたたみ型）のパーソナルコンピュータとして構成された場合が例示されるが、本実施形態にかかる電子機器は、これらには限定されない。本実施形態にかかる電子機器は、例えば、タブレット型のパーソナルコンピュータや、スマートフォン、電子書籍端末、スマートブック、携帯電話機、ＰＤＡ（personal digital assistant）、映像表示装置、テレビ電話機、映像表示制御装置、情報記憶装置等、筐体内に基板（基板アセンブリ）が収容された種々の電子機器として構成することができる。
【００１０】
＜第１実施形態＞
本実施形態では、一例として、図１，２に示されるように、電子機器の一例であるテレビジョン受像機１Ａは、支持部２Ａ（支部、台、スタンド）と、筐体３Ａと、を備える。具体的に、支持部２Ａは、机や、棚、台等の載置部（載置面、図示されず）上に載置され、筐体３Ａを、起立された状態に支持する。支持部２Ａは、筐体３Ａを固定的に支持してもよいし、移動可能（回動可能、スライド可能）に支持してもよい。筐体３Ａの支持部２Ａに対する移動形態（回動形態）としては、例えばチルトや、スイベル、ピボット等がある。
【００１１】
また、本実施形態では、一例として、図１に示されるように、筐体３Ａは、正面視および背面視では四角形状（本実施形態では、一例として横に長い長方形状）の外観を呈している。また、図２に示されるように、筐体３Ａは、前後方向（筐体３Ａの厚さ方向、図２の左右方向）に薄い偏平な直方体状に構成されている。筐体３Ａは、面３ａ（正面、前面、面部）とその反対側の面３ｂ（背面、後面、面部）と、面３ａと面３ｂとの間に亘る面３ｐ（側面、面部）と、を有する。面３ａおよび面３ｂはいずれも、厚さ方向と交叉している。面３ａと面３ｂとは略平行である。また、面３ａ，３ｂと面３ｐとは、交叉している（本実施形態では、一例として直交している）。また、筐体３Ａは、正面視では、四つの端部３ｃ〜３ｆ（辺部、縁部、周縁部）と、四つの角部３ｇ〜３ｊと（尖部、曲部、端部）、を有する。端部３ｃ，３ｅは、長辺部の一例である。端部３ｄ，３ｆは、短辺部の一例である。
【００１２】
筐体３Ａは、壁部３ｋ（部分、プレート、前壁部、表壁部、天壁部、第一の壁部）と、壁部３ｍ（部分、プレート、後壁部、裏壁部、底壁部、第二の壁部）と、壁部３ｎ（部分、プレート、側壁部、端壁部、立壁部、亘部、第三の壁部）と、を有する。壁部３ｋは、面３ａを有する。壁部３ｍは、面３ｂを有する。壁部３ｎは、面３ｐを有する。壁部３ｋ，３ｍ，３ｎは、いずれも四角形状（本実施形態では、一例として長方形状）である。また、壁部３ｋ，３ｍ，３ｎは、いずれも板状である。壁部３ｋには、四角形状の開口部３ｒが設けられている。
【００１３】
さらに、筐体３Ａは、複数の部品（分割体、部材）が組み合わせられて構成されている。筐体３Ａは、一例としては、部材３１（前側部材、カバー、ベゼル、プレート、第一の部材）と、部材３２（後側部材、ベース、ボトム、プレート、第二の部材）と、を有する。部材３１は、壁部３ｋを含む。部材３２は、壁部３ｍを含む。壁部３ｎは、部材３１および部材３２のうち少なくともいずれか一方（本実施形態では、一例として部材３２）に含まれる。部材３１，３２は、例えば、金属材料や合成樹脂材料等で構成されうる。金属材料は、例えば、鋳造や、プレス、切削等で構成することができる。合成樹脂材料は、例えば、射出成形等で構成することができる。なお、筐体３Ａは、部材３１，３２とは別の部材（図示されず）を有することができる。
【００１４】
また、本実施形態では、一例として、筐体３Ａ内には、表示装置４（表示部、ディスプレイ、パネル、表示部品）が収容されている。具体的には、使用者は、前方側から開口部３ｒを介して表示装置４の表示画面４ａを視認することができる。表示装置４は、正面視では四角形状（本実施形態では一例として長方形状）の外観を呈している。また、表示装置４は、前後方向に薄い偏平な直方体状に構成されている。表示装置４は、例えば、液晶ディスプレイ（ＬＣＤ，liquid crystal display）や、有機ＥＬディスプレイ（ＯＥＬＤ，organic electro-luminescent display）等である。
【００１５】
また、本実施形態では、一例として、表示装置４の前側（表側、壁部３ｋ側）には、透明な比較的薄い四角形状の入力操作パネル５（一例としてはタッチパネル、タッチセンサ、操作面、入力操作部、入力受付部）が設けられている。入力操作パネル５は、表示画面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３Ａの前方（外方）へ出る。入力操作パネル５は、入力部の一例である。また、本実施形態では、一例として、表示装置４および入力操作パネル５は、筐体３Ａに、例えば、固定具（固定部品、金具、例えば、ねじ、金具、部品等、図示されず）や接着部（例えば接着剤や両面テープ等、図示されず）を介して固定される（支持される）。なお、入力操作パネル５は、表示装置４内に含まれたインセルタッチパネルとして構成されてもよい。
【００１６】
また、本実施形態では、一例として、図１に示されるように、筐体３Ａ内には、基板１０（プリント配線板、回路基板、制御基板、部品）が収容されている。基板１０は、筐体３Ａに、結合具１１（本実施形態では、一例としてねじ、図３参照）によって結合（接続、固定）されている。具体的に、基板１０には、開口部１２（第一の開口部、例えば、貫通孔や、切欠、図３，４参照）が設けられている。結合具１１は、開口部１２を通って、筐体３Ａに固定されている。筐体３Ａに固定された結合具１１と筐体３Ａとの間に、基板１０が挟まれている。本実施形態では、一例として、開口部１２は、基板１０の端部１０ｃ（の近傍）に設けられた貫通孔である。基板１０に複数の部品（電子部品、電気部品、素子、一例としては部品２０（図３，４参照））が実装されて、基板アセンブリ１４が構成されている。なお、図３，４には、便宜上、比較的大型の部品２０のみ示されており、より小型の部品は示されていない。
【００１７】
図３，４に示される部品２０（電子部品、電子部品、パッケージ、素子）は、表面実装部品である。部品２０は、基板１０の面１０ａに露出された電極（図示されず）に、はんだ付け等によって電気的かつ機械的に接続（接合）されている。部品２０は、平面視で四角形状（多角形状、本実施形態では、一例として正方形状）の外観を呈している。具体的には、例えば、部品２０の、基板１０の面１０ａと対向する面（図示されず）には、電極（パッド等、図示されず）が設けられている。この電極は、面１０ａに設けられた電極と、接合材（はんだ等）を介して、電気的かつ機械的に接続される。部品２０は、例えば、ＢＧＡ （ball grid array）や、ＬＧＡ （land grid array）、ＱＦＮ （quad flat no lead package）等である。
【００１８】
基板１０には、筐体３Ａから、基板１０と筐体３Ａとの結合部（接触部分、接続部分、固定部分、一例としては、結合具１１が設けられた部分（図３参照））を介して、外力が入力される。外力によって、基板１０の部品２０との接合領域Ａｃ（図４では、便宜上、簡略化して四角形状に示されている）での応力が大きくなると、例えば、接合部材（例えば、はんだ等）にクラックが生じたり、部品２０が基板１０から剥がれたりといった、不都合な事象が生じる虞がある。そこで、本実施形態では、外力が作用した場合にあっても、接合領域Ａｃでの応力が高くなり難くなるよう、基板１０に、開口部１３（第二の開口部）が設けられている。すなわち、開口部１３によって、接合領域Ａｃでの応力をより低くすることができる。開口部１３は、例えば、切欠や貫通孔等である。本実施形態では、一例として、開口部１３は、基板１０の端部１０ｃ（端部の近傍、縁部、縁部の近傍）に設けられた切欠である。
【００１９】
発明者らは、開口部１３について鋭意研究を重ねたところ、開口部１３のスペックに応じた応力低減の効果について、いくつかの知見を得るに至った。
【００２０】
まず、一例としては、図４に示されるように、開口部１３が、基板１０の厚さ方向からの視線（基板１０の面１０ａの平面視、面１０ａの直交方向または法線方向からの視線）で、部品２０の角部２０ａと開口部１３の中心Ｃ（結合具１１の中心）とを結ぶ直線Ｌ１と重なる位置に設けられた場合に、接合領域Ａｃでの応力を低減する効果があることが判明した。すなわち、開口部１３がこのような位置に設けられることで、開口部１３（結合具１１）と接合領域Ａｃとの間の領域で基板１０の剛性が低下し、結合具１１から入力された外力によって当該接合領域Ａｃで応力が高まったり、応力波として伝達されるエネルギが増大したりするのが抑制される。
【００２１】
また、一例としては、図４に示されるように、開口部１３は、基板１０の厚さ方向からの視線で、領域Ａ１（第一の領域）内に設けられた場合に、接合領域Ａｃでの応力を低減する効果があることが判明した。領域Ａ１は、部品２０の角部２０ａを挟む二つの辺２０ｂ，２０ｃの延長線Ｌ２，Ｌ３間に挟まれるとともに、角部２０ａに対して部品２０とは反対側の領域である。仮に、基板１０の厚さ方向からの視線で部品２０の側方に位置され部品２０の辺２０ｂ，２０ｃと対向した領域Ａ２，Ａ３に開口部１２が設けられ、当該開口部１２に収容された結合具（図示されず）から基板に外力が入力された場合には、開口部１２（結合具）には、接合領域Ａｃの辺２０ｂ，２０ｃに沿った比較的広い領域が対向するため、当該接合領域Ａｃの辺２０ｂ，２０ｃに沿った領域では局所的に応力が増大するのが抑制されやすい。これに対し、基板１０の厚さ方向からの視線で部品２０の側方に位置され部品２０の角部２０ａと対向した領域Ａ１に開口部１２が設けられ、当該開口部１２に収容された結合具１１から基板１０に外力が入力された場合には、接合領域Ａｃの角部２０ａに対応した比較的狭い領域（角部２０ａの近傍の領域）で応力が局所的に増大されやすい。さらに、領域Ａ２，Ａ３は、複数（多数）の配線が配置される領域であるため、開口部１３を設けるのに適さない。よって、領域Ａ１に設けられた開口部１３により、接合領域Ａｃの角部２０ａに対応した領域で応力が局所的に増大するのが、より効果的に抑制されやすい。
【００２２】
さらに、一例としては、図４に示されるように、開口部１３が基板１０の厚さ方向からの視線で長方形状の領域Ａａ（第二の領域）内に位置された場合に、接合領域Ａｃでの応力を低減する効果があることが判明した。ここで、部品２０の角部２０ａと開口部１２の中心Ｃとが、長方形状の領域Ａａの対角に位置された二つの角である。また、部品２０の角部２０ａを挟む二辺２０ｂ，２０ｃの延長線Ｌ２，Ｌ３が、長方形状の領域Ａａの互いに隣接した二辺である。領域Ａ１のうち領域Ａａ外となる部分に設けられた開口部１３による応力低減の寄与度は低い。
【００２３】
また、一例としては、図４に示されるように、開口部１３が基板１０の厚さ方向からの視線で部品２０の角部２０ａよりも開口部１２の近く（角部２０ａと中心Ｃとを通る線分の垂直二等分線Ｌｍより開口部１２側の領域Ａ４内）に位置された場合に、接合領域Ａｃでの応力を低減する効果があることが判明した。開口部１３が部品２０の角部２０ａより開口部１２に近い方が、結合具１１から基板１０に入力された外力に基づくエネルギ（荷重）が基板１０内でより広範囲に伝播されるのが抑制されやすい。
【００２４】
また、本実施形態では、一例として、筐体３Ａ内には、複数の部品（電子部品、電子部品、パッケージ、素子、一例としては部品２０）が収容されている。基板１０に実装された部品２０等によって、制御回路（図示されず）の少なくとも一部が構成されている。制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００２５】
以上、説明したように、本実施形態では、一例として、基板１０の、基板１０の厚さ方向からの視線で、領域Ａ１内であって直線Ｌ１と重なる位置に開口部１３（第二の開口部）が設けられた。よって、本実施形態によれば、一例としては、開口部１２（結合具１１）と基板１０の部品２０との接合領域Ａｃとの間の領域で、基板１０の剛性が低下するため、結合具１１から入力された外力によって当該接合領域Ａｃで応力が高まったり、応力波として伝達されるエネルギが増大したりするのが抑制されやすい。
【００２６】
また、本実施形態では、一例として、開口部１３の少なくとも一部は、基板１０の厚さ方向からの視線で、長方形状の領域Ａａ内に位置された。よって、本実施形態によれば、一例としては、接合領域Ａｃの角部２０ａに対応した領域で、応力が高まるのがより効果的に抑制されやすい。
【００２７】
また、本実施形態では、一例として、開口部１３は、基板１０の厚さ方向からの視線で、部品２０の角部２０ａよりも開口部１２の近く（領域Ａ４内）に位置された。よって、本実施形態によれば、一例としては、結合具１１から基板１０に入力された外力に基づくエネルギ（荷重）が基板１０内でより広範囲に伝播されるのが抑制されやすい。
【００２８】
また、本実施形態では、一例として、開口部１３は、基板１０の端部１０ｃに設けられた切欠である。よって、本実施形態によれば、一例としては、開口部１３がより容易に設けられやすい。また、端部１０ｃに開口部１３を設けたことによる他の部品や配線等の実装への影響が、より小さい。すなわち、換言すれば、開口部１３のレイアウトの制約がより小さい。
【００２９】
また、本実施形態では、一例として、開口部１３は、基板１０の長手方向に沿った端部１０ｃに設けられた。一方向に長く、当該一方向と直交する他方向に短い（例えば、長方形状の）基板１０の場合、長手方向の曲げや撓みを伴う外力が生じやすい。本実施形態によれば、一例としては、開口部１３が基板１０の長手方向に沿った端部１０ｃに設けられることで、基板１０に当該長手方向の曲げや撓みを伴う外力が作用した場合に、当該外力により接合領域Ａｃで応力が高まるのが抑制されやすい。
【００３０】
＜第２実施形態＞
本実施形態にかかる電子機器１Ｂは、例えば、所謂ノートブック型のパーソナルコンピュータである。本実施形態では、一例として、図５に示されるように、電子機器１Ｂは、筐体３Ｂ（第一の筐体、筐体、第一部分）と筐体２Ｂ（第二の筐体、別の筐体、第二部分）とを備える。筐体３Ｂには、基板１０が収容されている。筐体２Ｂには、表示装置４の少なくとも一部が収容されている。筐体３Ｂには、キーボード６（入力操作部、入力受付部、入力部）や、タッチパッド７（入力操作部、入力受付部、入力部）、クリックボタン８（入力操作部、入力受付部、入力部）等が設けられている。
【００３１】
筐体３Ｂと筐体２Ｂとは、ヒンジ部９（接続部、連結部、回動支持部、ヒンジ機構、接続機構、連結機構、回動支持機構）によって回動可能に接続されている。筐体３Ｂおよび筐体２Ｂは、ヒンジ部９により、少なくとも図５に示される展開状態と、図示されない折り畳み状態との間で回動可能に接続されている。本実施形態では、一例として、ヒンジ部９は、筐体３Ｂと筐体２Ｂとを、回動軸Ａｘ回りに回動可能に、接続している。表示装置４の表示画面４ａは、筐体２Ｂの面２ａ（正面、面、面部）に設けられた開口部２ｒから視認可能である。また、キーボード６や、タッチパッド７、クリックボタン８等は、筐体３Ｂの面３ａ（上面、正面、第一面、第一面部）に露出している。折り畳み状態では、筐体３Ｂの面３ａと筐体２Ｂの面２ａとが重なり、表示画面４ａや、キーボード６、タッチパッド７、クリックボタン８等が、筐体３Ｂおよび筐体２Ｂに隠される。展開状態では、筐体３Ｂの面３ａおよび筐体２Ｂの面２ａが露出され、表示画面４ａや、キーボード６、タッチパッド７、クリックボタン８等が使用可能（視認可能あるいは操作可能）になる。
【００３２】
本実施形態では、一例として、図５に示されるように、筐体２Ｂは、正面視および背面視では四角形状（本実施形態では、一例として横に長い長方形状）の外観を呈している。また、筐体２Ｂは、本実施形態では、一例として、前後方向（筐体２Ｂの厚さ方向）に薄い扁平な直方体状に構成されている。筐体２Ｂは、面２ａ（正面、前面、面部）とその反対側の面２ｂ（背面、後面、面部）と、面２ａと面２ｂとの間に亘る面２ｐ（側面、面部）と、を有する。面２ａおよび面２ｂはいずれも、厚さ方向と交叉している。面２ａと面２ｂとは略平行である。また、面２ａ，２ｂと面２ｐとは、交叉している（本実施形態では、一例として直交している）。また、筐体２Ｂは、正面視では、四つの端部２ｃ〜２ｆ（辺部、縁部、周縁部）と、四つの角部２ｇ〜２ｊ（尖部、曲部、端部）と、を有する。端部２ｃ，２ｅは、長辺部の一例である。端部２ｄ，２ｆは、短辺部の一例である。
【００３３】
また、筐体２Ｂは、壁部２ｋ（部分、プレート、前壁部、表壁部、天壁部、第一の壁部）と、壁部２ｍ（部分、プレート、後壁部、裏壁部、底壁部、第二の壁部）と、壁部２ｎ（部分、プレート、側壁部、端壁部、立壁部、亘部、第三の壁部）と、を有する。壁部２ｋは、面２ａを有する。壁部２ｍは、面２ｂを有する。壁部２ｎは、面２ｐを有する。壁部２ｋ，２ｍ，２ｎは、いずれも四角形状（本実施形態では、一例として長方形状）である。また、壁部２ｋ，２ｍ，２ｎは、いずれも板状である。壁部２ｋには、四角形状の開口部２ｒが設けられている。
【００３４】
さらに、筐体２Ｂは、複数の部品（分割体、部材）が組み合わせられて構成されている。筐体２Ｂは、一例としては、部材２１（前側部材、カバー、ベゼル、プレート、第一の部材）と、部材２２（後側部材、ベース、ボトム、プレート、第二の部材）と、を有する。部材２１は、壁部２ｋを含む。部材２２は、壁部２ｍを含む。壁部２ｎは、部材２１および部材２２のうち少なくともいずれか一方（本実施形態では、一例として部材２２）に含まれる。部材２１，２２は、例えば、金属材料や合成樹脂材料等で構成されうる。金属材料は、例えば、鋳造や、プレス、切削等で構成することができる。合成樹脂材料は、例えば、射出成形等で構成することができる。なお、筐体２Ｂは、部材２１，２２とは別の部材（図示されず）を有することができる。
【００３５】
また、本実施形態では、一例として、筐体２Ｂ内には、表示装置４（表示部、ディスプレイ、パネル、表示部品）が収容されている。具体的には、使用者は、前方側から開口部２ｒを介して表示装置４の表示画面４ａを視認することができる。表示装置４は、正面視では四角形状（本実施形態では一例として長方形状）の外観を呈している。また、表示装置４は、前後方向に薄い偏平な直方体状に構成されている。表示装置４は、例えば、液晶ディスプレイ（ＬＣＤ，liquid crystal display）や、有機ＥＬディスプレイ（ＯＥＬＤ，organic electro-luminescent display）等である。
【００３６】
また、本実施形態では、一例として、表示装置４の前側（表側、壁部３ｋ側）には、透明な比較的薄い四角形状の入力操作パネル５（タッチパネル、タッチセンサ、操作面、入力操作部、入力受付部）が設けられている。入力操作パネル５は、表示画面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示画面４ａから出た光は、入力操作パネル５を通過して壁部２ｋの開口部２ｒから筐体２Ｂの前方（外方）へ出る。入力操作パネル５は、入力部の一例である。また、本実施形態では、一例として、表示装置４および入力操作パネル５は、筐体２Ｂに、例えば、固定具（固定部品、例えば、ねじ、金具、部品等、図示されず）や接着部（例えば接着剤や両面テープ等、図示されず）を介して固定される（支持される）。なお、入力操作パネル５は、表示装置４内に含まれたインセルタッチパネルとして構成されてもよい。
【００３７】
一方、本実施形態では、一例として、図５に示されるように、筐体３Ｂは、正面視および背面視では四角形状（本実施形態では、一例として横に長い長方形状）の外観を呈している。また、図５に示されるように、筐体３Ｂは、前後方向（筐体３Ｂの厚さ方向、図５の左右方向）に薄い偏平な直方体状に構成されている。筐体３Ｂは、面３ａ（正面、前面、面部）とその反対側の面３ｂ（背面、後面、面部）と、面３ａと面３ｂとの間に亘る面３ｐ（側面、面部）と、を有する。面３ａおよび面３ｂはいずれも、厚さ方向と交叉している。面３ａと面３ｂとは略平行である。また、面３ａ，３ｂと面３ｐとは、交叉している（本実施形態では、一例として直交している）。また、筐体３Ｂは、正面視では、四つの端部３ｃ〜３ｆ（辺部、縁部、周縁部）と、四つの角部３ｇ〜３ｊと（尖部、曲部、端部）、を有する。端部３ｃ，３ｅは、長辺部の一例である。端部３ｄ，３ｆは、短辺部の一例である。
【００３８】
また、筐体３Ｂは、壁部３ｋ（部分、プレート、前壁部、表壁部、天壁部、第一の壁部）と、壁部３ｍ（部分、プレート、後壁部、裏壁部、底壁部、第二の壁部）と、壁部３ｎ（部分、プレート、側壁部、端壁部、立壁部、亘部、第三の壁部）と、を有する。壁部３ｋは、面３ａを有する。壁部３ｍは、面３ｂを有する。壁部３ｎは、面３ｐを有する。壁部３ｋ，３ｍ，３ｎは、いずれも四角形状（本実施形態では、一例として長方形状）である。また、壁部３ｋ，３ｍ，３ｎは、いずれも板状である。壁部３ｋには、四角形状の開口部３ｒが設けられている。
【００３９】
さらに、筐体３Ｂは、複数の部品（分割体、部材）が組み合わせられて構成されている。筐体３Ｂは、一例としては、部材３１（前側部材、カバー、ベゼル、プレート、第一の部材）と、部材３２（後側部材、ベース、ボトム、プレート、第二の部材）と、を有する。部材３１は、壁部３ｋを含む。部材３２は、壁部３ｍを含む。壁部３ｎは、部材３１および部材３２のうち少なくともいずれか一方（本実施形態では、一例として部材３２）に含まれる。部材３１，３２は、例えば、金属材料や合成樹脂材料等で構成されうる。金属材料は、例えば、鋳造や、プレス、切削等で構成することができる。合成樹脂材料は、例えば、射出成形等で構成することができる。なお、筐体３Ｂは、部材３１，３２とは別の部材（図示されず）を有することができる。
【００４０】
そして、本実施形態では、一例として、筐体３Ｂ内には、一つ以上の基板１０（基板アセンブリ１４、図６参照）が収容されている。基板１０は、キーボード６（図５参照）と並行して（本実施形態では、一例として平行に）設けられている。基板１０は、筐体３Ｂに、結合具１１（本実施形態では、一例としてねじ、図６参照）によって結合（接続、固定）されている。具体的に、基板１０には、開口部１２（第一の開口部、例えば、貫通孔や、切欠、図７参照）が設けられている。結合具１１は、開口部１２を通って、筐体３Ｂに固定されている。筐体３Ｂに固定された結合具１１と筐体３Ｂとの間に、基板１０が挟まれている。本実施形態では、一例として、開口部１２は、基板１０の角部１０ｂ（の近傍、端部１０ｃ）に設けられた貫通孔である。基板１０に複数の部品（電子部品、電気部品、素子、一例としては部品２０（図６，７参照））が実装されて、基板アセンブリ１４が構成されている。なお、図６，７には、便宜上、比較的大型の部品２０のみ示されており、より小型の部品は示されていない。そして、本実施形態でも、一例としては、図７に示されるように、基板１０（基板アセンブリ１４）は、上記第１実施形態と同様の構成を有している。
【００４１】
また、本実施形態では、一例として、基板１０には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品２０を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００４２】
以上の本実施形態にかかる電子機器１Ｂは、図６，７に示されるように、上記第１実施形態にかかるテレビジョン受像機１Ａと同様の基板１０（基板アセンブリ１４）や部品２０に関連する構成を備えるため、上記第１実施形態と同様の結果（効果）が得られる。
【００４３】
＜第１変形例＞
本変形例では、一例として、図８に示されるように、開口部１３は、基板１０に設けられた貫通孔である。また、開口部１３は、本実施形態では、一例として、平面視で円形の貫通孔である。ただし、本変形例でも、開口部１３は、上記実施形態と同様、領域Ａ１，Ａａ内で、直線Ｌ１と重なる位置に設けられている。よって、本変形例でも、上記実施形態と同様の結果（効果）が得られる。
【００４４】
＜第２変形例＞
本変形例でも、一例として、図９に示されるように、上記実施形態と同様の開口部１３が設けられている。よって、本変形例によっても、上記実施形態と同様の構成に基づく同様の結果（効果）が得られる。ただし、本変形例では、一例として、図９に示されるように、基板１０には、開口部１２，１３とは別に、開口部１５（第三の開口部）が設けられている。開口部１５は、基板１０に設けられた貫通孔である。開口部１５は、本変形例では、一例として、平面視で円形の貫通孔である。開口部１５は、その少なくとも一部が領域Ａ１，Ａａと重なった状態または接した状態（本変形例では、一例として接した状態）に設けられている。また、開口部１５は、領域Ａ４内に位置されている。すなわち、開口部１５は、角部２０ａよりも開口部１２の中心Ｃの近くに位置されている。発明者らの研究により、開口部１３に加えてこのような開口部１５が設けられた場合、当該開口部１５が設けられていない場合に比べて、接合領域Ａｃでの応力がより低くなりやすいことが判明した。すなわち、本変形例によれば、一例としては、結合具１１から入力された外力によって当該接合領域Ａｃで応力が高まったり、応力波として伝達されるエネルギが増大したりするのが、より一層抑制されやすい。
【００４５】
＜第３変形例＞
本変形例では、一例として、図１０に示されるように、基板１０には、上記第１変形例と同様の開口部１３が設けられている。さらに、本変形例では、基板１０には、開口部１２，１３とは別に、開口部１５（第三の開口部）が設けられている。開口部１５は、基板１０の端部１０ｃに設けられた切欠である。また、開口部１５は、領域Ａ４内に位置されている。すなわち、開口部１５は、角部２０ａよりも開口部１２の中心Ｃの近くに位置されている。発明者らの研究により、開口部１３に加えてこのような開口部１５が設けられた場合、当該開口部１５が設けられていない場合に比べて、接合領域Ａｃでの応力がより低くなりやすいことが判明した。すなわち、本変形例によれば、一例としては、結合具１１から入力された外力によって当該接合領域Ａｃで応力が高まったり、応力波として伝達されるエネルギが増大したりするのが、より一層抑制されやすい。
【００４６】
＜第４変形例＞
本変形例では、一例として、図１１に示されるように、基板１０には、開口部１３が設けられている。開口部１３は、基板１０に設けられた貫通孔である。開口部１３は、本変形例では、一例として、平面視で円形の貫通孔である。開口部１３は、その少なくとも一部が直線Ｌ１と重なった状態または接した状態に設けられている。さらに、本変形例では、基板１０には、開口部１２，１３とは別に、直線Ｌ１とは重ならない開口部１５（第三の開口部）が設けられている。開口部１５は、本変形例では、一例として、平面視で円形の貫通孔である。開口部１５は、その少なくとも一部が領域Ａａと重なった状態または接した状態（本変形例では、一例として重なった状態）に設けられている。また、開口部１５は、領域Ａ４内に位置されている。すなわち、開口部１５は、角部２０ａよりも開口部１２の中心Ｃの近くに位置されている。発明者らの研究により、このような開口部１５が設けられた場合、当該開口部１５が設けられていない場合に比べて、接合領域Ａｃでの応力がより低くなりやすいことが判明した。すなわち、本変形例によれば、一例としては、結合具１１から入力された外力によって当該接合領域Ａｃで応力が高まったり、応力波として伝達されるエネルギが増大したりするのが、より一層抑制されやすい。
【００４７】
＜第５変形例＞
本変形例では、一例として、図１２に示されるように、基板１０には、直線Ｌ１とは重ならない複数（本変形例では、一例として二つ）の開口部１５（第三の開口部）が設けられている。複数の開口部１５は、基板１０に設けられた貫通孔である。複数の開口部１５は、本変形例では、一例として、平面視で円形の貫通孔である。複数の開口部１５は、その少なくとも一部が領域Ａ１，Ａａと重なった状態または接した状態（本変形例では、一例として重なった状態）に設けられている。また、複数の開口部１５は、領域Ａ４内に位置されている。すなわち、複数の開口部１５は、角部２０ａよりも開口部１２の中心Ｃの近くに位置されている。発明者らの研究により、このような開口部１５が設けられた場合、当該開口部１５が設けられていない場合に比べて、接合領域Ａｃでの応力がより低くなりやすいことが判明した。すなわち、本変形例によれば、一例としては、結合具１１から入力された外力によって当該接合領域Ａｃで応力が高まったり、応力波として伝達されるエネルギが増大したりするのが、より一層抑制されやすい。
【００４８】
＜第６変形例＞
図１３に例示される本変形例にかかる複数の部品２０（２０Ａ，２０Ｂ）と開口部１２との配置では、開口部１２（結合具１１）から入力された外力による部品２０Ａに対する影響は、部品２０Ｂに対する影響より大きい。開口部１２は、部品２０Ａの角部２０ａに対向して配置されているとともに、部品２０Ｂの辺２０ｂに対向して配置されているからである。よって、本変形例では、一例としては、図１３に示されるように、上記第１変形例と同様に、開口部１３が、基板１０の厚さ方向からの視線で、領域Ａ１，Ａａ内であって開口部１２の中心Ｃと部品２０Ａの角部２０ａとを結ぶ直線Ｌ１と重なる状態に設けられている。よって、本変形例によれば、一例としては、開口部１３を設けたことにより、部品２０Ａに対応した接合領域Ａｃの角部２０ａに対応した領域で、応力が高まるのが抑制されやすい。
【００４９】
＜第７変形例＞
図１４に例示される本変形例にかかる複数の部品２０（２０Ａ，２０Ｂ）と開口部１２との配置では、開口部１３が設けられていない。すなわち、本変形例では、部品２０Ａの角部２０ａに対応した領域Ａａ内に、部品２０Ｂが位置されている。そして、開口部１２は部品２０Ｂの辺２０ｂに対向して位置されている。したがって、本変形例のような構成では、上記実施形態や変形例のような開口部１３，１５を設けなくても、接合領域Ａｃでの応力が許容範囲内に収まる場合がある。
【００５０】
＜第８変形例＞
図１５に示される本変形例にかかる構成は、上記実施形態にかかる構成と同様である。ただし、本変形例では、一例として、開口部１２は、基板１０の端部１０ｃに設けられた切欠である。このような本変形例でも、上記実施形態と同様の結果（効果）が得られる。
【００５１】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。本発明は上記実施形態には限定されず、種々の変形が可能である。また、各構成要素のスペック（構造や、種類、方向、形状、大きさ、長さ、幅、厚さ、高さ、数、配置、位置、材質等）は、適宜に変更して実施することができる。例えば、部品の角部は、面取り等されていてもよい。
【符号の説明】
【００５２】
１Ａ…テレビジョン受像機（電子機器）、１Ｂ…電子機器、３Ａ，３Ｂ…筐体、１０…基板、１０ａ…面、１２…開口部（第一の開口部）、１３…開口部（第二の開口部）、１４…基板アセンブリ、１５…開口部（第三の開口部）、２０…部品、２０ａ…角部、Ａａ…（第二の）領域、Ａ１…（第一の）領域、Ｌ２，Ｌ３…延長線、Ｃ…中心。
【図１】
2014086920.tif 000003
【図２】
2014086920.tif 000004
【図３】
2014086920.tif 000005
【図４】
2014086920.tif 000006
【図５】
2014086920.tif 000007
【図６】
2014086920.tif 000008
【図７】
2014086920.tif 000009
【図８】
2014086920.tif 000010
【図９】
2014086920.tif 000011
【図１０】
2014086920.tif 000012
【図１１】
2014086920.tif 000013
【図１２】
2014086920.tif 000014
【図１３】
2014086920.tif 000015
【図１４】
2014086920.tif 000016
【図１５】
2014086920.tif 000017